(57)【特許請求の範囲】
【請求項１】
プラスチック製の板に設けた溝部の中に計量した試料を載置し、
当該プラスチック製の板上にプラスチック製のシートを重ねて溝部を覆い、
その後、冷却した金属板で溝部周囲の放熱を繰返しながら溝部周囲にシートをヒートシールすることを特徴とするＯ−リングテスト用定量サンプルの製造方法。
【請求項２】
前記プラスチック製の板に設けた溝部の中に載置するものが、計量した試料を染み込ませた濾紙であることを特徴とする請求項１に記載のＯ−リングテスト用定量サンプルの製造方法。
【請求項３】
前記プラスチック製の板に設けた溝部の中に載置するものが、濾紙であって、
当該プラスチック製の板上に、プラスチック製のシートを被せ、
次に、プラスチック製の板とシートの間より試料供給具を挿入して濾紙に計量した試料を染み込ませることを特徴とする請求項１に記載のＯ−リングテスト用定量サンプルの製造方法。
【発明の詳細な説明】
【０００１】
【発明の属する技術分野】
本発明は、バイ・ディジタルＯ―リングテスト検査法やバイ・ディジタルＯ―リングテスト診察法などに使用する検査用又は治療用のサンプル及び当該サンプルの製造方法に関する。
【０００２】
【従来の技術】
バイ・ディジタルＯ―リングテスト検査法（米国特許第５，１１８，１０７号：本発明の発明者である大村恵昭の特許）により様々な病気や病態の診察が可能であることが知られている。このバイ・ディジタルＯ―リングテスト（以下Ｏ―リングテストという）の検査用物質として、癌やウイルス等の組織プレパラートを用いて診察する方法及び結果については、本発明者らが国際学会誌「Ａｃｕｐｕｎｃｔｕｒｅ  ＆  Ｅｌｅｃｔｒｏ−  Ｔｈｅｒａｐｅｕｔｉｃｓ  Ｒｅｓｅａｒｃｈ，  Ｔｈｅ  Ｉｎｔｅｒｎａｔｉｏｎａｌ  Ｊｏｕｒｎａｌ」で１９８１年より報告し続けてきている。
【０００３】
Ｏ−リングテストの手法として直接法または間接法があるが、間接法は、第三者が検査用サンプル又は治療用サンプル（以下検査用サンプルと治療用サンプルの両方を併せ「Ｏ‐リングテスト用サンプル」という）を手にもって、被検者の検査しようとする部位を金属棒または、レーザーポインター等で刺激する。被検者の体に検査用サンプルと同質の物質が存在する場合、第三者のサンプルを持っていない他方の手の親指と選択指（Ｏ−リングテストの検査に適合する指）の先端を接触させて作ったＯ−リングが開く。あるいは、治療を必要とする患者に有効な治療薬である場合、第三者のサンプルを持っていない他方の手の親指と選択指（Ｏ−リングテストの検査に適合する指）の先端を接触させて作ったＯ−リングが開く。その開き具合を６〜７段階に分けて結果を判定し、さらに現代医学的手法で確認する際の予見ができる。
このことは、参考文献（米国特許第５，１８８，１０７号（大村恵昭）等）に様々の物質を用いて検査できることが述べられている。
Ｏ−リングテストのメカニズムは電磁波理論に基づいている。前記参考文献に、電気的共鳴回路を２つ用いて、発振周波数が同じになるとＯ−リングの共鳴現象が起こることを観察し、またその角度で共鳴現象が変化することが報告されている。物質からはその分子から質及び量に関した情報が電磁波を介して出ている。これが金属棒やレーザーポインター等の刺激によって誘導できることが、Ｏ−リングテストの創始者であり、本発明の発明者の１人でもある大村恵昭教授によって報告されている。光線の近くにおいた物質の情報が光の進む方向にも、またその逆の方向にも伝達されていることが示されている。
このＯ−リングテストに使用するサンプルには、取り扱い易さの点から、試料をプラスチック製の板で挟み、当該プラスチック製の板をヒートして密封したものがある。
【０００４】
【発明が解決しようとする課題】
このサンプルはガラス製のプレパラートと違い割れる心配はないが、ヒートシールの際に試料も暖められて、高温になり変成するおそれがある。熱による変成への対応としてサンプルを冷却する方法も有るが、冷却により変成するサンプルには使用できない。
この温度による試料の変成を避けるために、接着剤を使用することを検討したが、いわゆる環境ホルモンが含まれている等の理由により、検査結果に支障をきたすので、現存の接着剤で適切なものが見当らなかった。
また、実際に体内にサンプルと同じ物質があるにもかかわらず、親指と選択指の開き具合がわるく、誤診する場合があった。
【０００５】
本発明は前記欠点を解決し、試料の熱変成がなく、検査結果に支障のないＯ‐リングテスト用サンプルを提供すること、及び誤診の生じないサンプルを提供することを目的とする。
【０００６】
【課題を解決するための手段】
上記目的を達成するために本発明者らは、鋭意研究の結果、低温でサンプルを変成させないためには、ヒートシールの際に適宜金属板で放熱すれば良いこと及び誤診は体内にある物質の量とサンプルの量とが大きくかけ離れたために起こるということを知見し、本発明に至った。
【０００７】
即ち本発明になるＯ−リングテスト用定量サンプルの製造方法は、プラスチック製の板に設けた溝部の中に計量した試料又は計量した試料を染み込ませた濾紙を載置し、
当該プラスチック製の板上に、プラスチック製のシートを重ねて溝部を覆い、
その後、冷却した金属板で溝部周囲上の放熱を繰返しながら溝部の周囲にシートをヒートシールすることを特徴とする。
【０００８】
【発明の実施の形態】
以下、本発明の実施形態について図面を参照して説明する。
図１は、Ｏ−リングテスト用定量サンプルの正面図である。
Ｏ−リングテスト用定量サンプル１は以下の手順で作製する。
【０００９】
まず、プラスチック製の板２の溝部３に、試料４を染み込ませた濾紙５を載置する（図２参照）。このプラスチック製の板２及び濾紙５は、Ｏ−リングテストの検査結果に影響を及ぼさないもので製造する。
次に、シート６で濾紙５を被覆し、被覆した部分の上下から円い金属棒７を転がして空気を抜く（図３参照）。
その後、濾紙５から２ｍｍ離間した位置を、シーラ８を使用しヒートシールする（図４参照）。
この際に、シ―ラ８で１ヶ所シールする度に、当該シートに冷却した金属板９（例えば銅板）を当て放熱する（図５参照）。
この操作を繰返しＯ−リングテスト用定量サンプル１が完成する。
一般にヒートシールの際に、シーラー８と接触している部分の温度と試料が接するシートの周辺部の温度は、以下のようになる。
【表１】
0003615138.tif 000002
すなわち、シートの周辺部であってもかなり高温になる。
この際に冷却した金属板９を当て放熱すると、試料が接するシートの周辺部の温度は、試料が変成しない温度まで低下する。
また、空気を極力抜いてあるので、試料の酸化等の変成が少ない。
【００１０】
次に、別の実施形態につき説明する。
前記実施形態との違いは、プラスチック製の板２全体をシート６で被覆する点である。
このＯ−リングテスト用定量サンプル１は以下の手順で作製する。
まず、板２に、溝部３上を除き接着剤を塗布し、シート６で被覆する。
次に、溝部３にエッペンドルフピペット１０の先端を挿入し、濾紙５上に試料溶液４を０．１〜１０μｌ滴下する（図６参照）。
以下の手順は、前記実施形態と同様である（図２〜５参照）。
すなわち、シートで被覆した板２の上下から円い金属棒を転がして空気を抜く。その後、濾紙から２ｍｍ離間した位置を、シーラを使用しヒートシールする。この際に、シ―ラで１ヶ所シールする度に、シートに冷却した金属板を当て放熱する。
この操作を繰返して、Ｏ−リングテスト用定量サンプル１を完成する（図７参照）。
【００１１】
上記各実施形態は試料が液体の場合である。試料が粉末状である場合は以下のようにして試料を作製する。
まず、直径５ｍｍ〜１ｃｍの有底の円形の溝部１１を設けたプラスチック板１２を用意する。
次に、この円形の溝部１１に試料粉末１３を載置した後、シート６で被覆し、前記実施形態と同様の手法（図３）で空気を抜いた後、前記実施形態と同様の手法でヒートシールする。すなわち、シ―ラで１ヶ所シールする度に、シートに冷却した金属板を当て放熱する。
この操作を繰返しＯ−リングテスト用定量サンプル１を完成する（図８参照）。
前記は粉末状のものの場合であるが、金属板など、粉末状以外の形状の固体試料の場合も同様に作製する。
【００１２】
なお、プラスチック製のシート６は、透明又は半透明のものを使用する。透明又は半透明にしたことにより、サンプルの封入位置からサンプルを保持する指までの距離を確認してサンプルを保持することが可能になる。
このように指の位置を注意するのは、サンプルの封入位置からサンプルを保持する指までの距離によりサンプル物質からの電磁波の強度が異なり、検査結果に影響を及ぼすためである。
また、前記円形の溝部１１の直径は、１ｃｍ以下とする。１ｃｍより大きいとＯ−リングテストの結果が正確でなくなるからである。
【００１３】
以上のようにしてなるＯ−リングテスト用定量サンプル１は、試料４，１３の量を変えて各種用意する。これらの各種Ｏ−リングテスト用定量サンプル１は、サンプル上の試料を載置する位置をすべて同じにする。
このＯ−リングテスト用定量サンプル１を複数枚重ねて持つことにより、各サンプルの量の合計量のものを持ったと同等になる。例えば、試料の量が１ｎｇのサンプルと２ｎｇのサンプルを重ねて持つと、試料の量が３ｎｇのものを持ったことと同等になる。
よって、試料の量が１ｎｇ、２ｎｇ、４ｎｇ、８ｎｇ、１６ｎｇ、３２ｎｇ、６４ｎｇ、１２８ｎｇの８種類を用意すれば、１ｎｇ〜２５５ｎｇまでの２５５種類の各種Ｏ−リングテスト用定量サンプル１を用意したと同等になる。
なお、試料の種類・量・サンプルの作製日等の情報がわかるようにプラスチックシート６の一端にホットスタンピングで、サンプルの情報１４を刻設すると良い。
また、サンプルの形状は矩形に限らず、図９のような円形や、図１０のような一部三角形状のもの等であってもよい。
【００１４】
【発明の効果】
以上を要するに本発明は、溝部を有するプラスチック製の板の、当該溝部の中に計量した試料を載置し、そして、プラスチック製の板上に、プラスチック製のシートを重ねて溝部を覆うので、各種量の違うサンプルを用意することにより、体内にある物質の量とサンプルの量とが大きくかけ離れたことに起因する誤診がなくなる。
また、溝部周囲にシートをヒートシールする際に、適宜冷却した金属板を当てシートを放熱するので、試料の熱変性がないという効果を奏する。
【図面の簡単な説明】
【図１】Ｏ−リングテスト用定量サンプルの正面図である。
【図２】プラスチック製の板の溝部に、濾紙を載置した状態を示す断面図である。
【図３】プラスチック製の板の溝部に載置した濾紙を、シートで被覆した状態を示す断面図である。
【図４】図３の後、ヒートシールする状態を示す断面図である。
【図５】図４に示すヒートシールの際に、シートに冷却した金属板を当て放熱する状態を示す断面図である。
【図６】サンプルを作製する別の方法を示す断面図である。
【図７】別の実施形態のＯ−リングテスト用定量サンプルの正面図である。
【図８】図１，７と違う実施形態のＯ−リングテスト用定量サンプルの正面図である。
【図９】図１，７，８と違う実施形態のＯ−リングテスト用定量サンプルの正面図である。
【図１０】図１，７，８，９と違う実施形態のＯ−リングテスト用定量サンプルの正面図である。
【符号の説明】
１        Ｏ−リングテスト用定量サンプル
２，１２  プラスチック製の板
３，１１  溝部
４，１３  試料
６        プラスチック製のシート
９        金属板
【図１】
0003615138.tif 000003
【図２】
0003615138.tif 000004
【図３】
0003615138.tif 000005
【図４】
0003615138.tif 000006
【図５】
0003615138.tif 000007
【図６】
0003615138.tif 000008
【図７】
0003615138.tif 000009
【図８】
0003615138.tif 000010
【図９】
0003615138.tif 000011
【図１０】
0003615138.tif 000012